(57)【要約】  【目的】ワイパーが装着された移動ブロックを平行移動させるときの左右の位相ずれを無くし、ワイパーの移動を円滑にすることで記録ヘッドの吐出口面を安定した状態で払拭できるインクジェット記録装置のワイピング機構を提供する。  【構成】駆動プーリ６５とアイドラプーリ６６とを回ってエンドレスに張架された１本の長尺部材６８を屈曲させることにより所定間隔離れた平行パス部６９ａ、６９ｂを形成し、ワイパー６１が装着された移動ブロック７０を平行パス部６９ａ、６９ｂの同方向移動部分に連結し、駆動プーリを回転させて移動ブロックを平行移動させることによりワイパーで記録手段の吐出口面を払拭する。【選択図】                図３
2005161796.tif 000002
【特許請求の範囲】
【請求項１】
被記録材へインクを吐出して記録を行うための記録手段の吐出口面をワイパーで払拭するためのインクジェット記録装置のワイピング機構において、
駆動プーリとアイドラプーリとを回ってエンドレスに張架された１本の長尺部材を屈曲させることにより所定間隔離れた平行パス部を形成し、ワイパーが装着された移動ブロックを前記平行パス部の同方向移動部分に連結し、前記駆動プーリを回転させて前記移動ブロックを平行移動させることにより前記ワイパーで記録手段の吐出口面を払拭することを特徴とするワイピング機構。
【請求項２】
前記長尺部材に所定値以上の張力が作用するときに該長尺部材を駆動プーリに対して滑らせるトルクリミッタを有することを特徴とする請求項１に記載のワイピング機構。
【請求項３】
前記移動ブロックの平行移動を案内するための案内レールを設けることを特徴とする請求項１又は２に記載のワイピング機構。
【請求項４】
前記記録手段がラインヘッドであり、前記移動ブロックは前記ラインヘッドの長さ方向に移動することを特徴とする請求項１〜３のいずれかに記載のワイピング機構。
【請求項５】
前記記録手段が複数本のラインヘッドで構成され、これらのラインヘッドのそれぞれに対応する複数のワイパーが前記移動ブロックに装着されていることを特徴とする請求項４に記載のワイピング機構。
【請求項６】
記録手段から被記録材へインクを吐出して記録を行うインクジェット記録装置において、請求項１〜５のいずれかに記載のワイピング機構を有することを特徴とするインクジェット記録装置。
【発明の詳細な説明】
【技術分野】
【０００１】
本発明は、被記録材へインクを吐出して記録を行うための記録手段の吐出口面をワイパーで払拭するためのワイピング機構、並びに、該ワイピング機構を用いるインクジェット記録装置に関する。
【背景技術】
【０００２】
インクジェット記録装置は、記録手段としての記録ヘッドから記録紙等の被記録材へインクを吐出して記録を行うものである。このようなインクジェット記録装置においては、微細な吐出口からインクを吐出して記録を行うことから、吐出口の目詰まりや吐出口面上の付着物などによって吐出不良になり、記録画像の画質低下という不都合が生じることがある。このような不都合を解消するための手段として吐出回復装置が使用されている。この吐出回復装置としては、記録ヘッドの吐出口の保護及びインク蒸発防止のためのキャッピング機構、記録ヘッドの吐出口からインクを吸引するための吸引機構、記録ヘッドの吐出口面を払拭するためのワイピング機構などを備えたものが使用されている。（例えば特許文献１参照）。
【特許文献１】特開平１０−２１７４９４号公報
【０００３】
前記キャッピング機構は、記録ヘッドの吐出口面を保護したり、記録ヘッドの吐出口を密閉してインク溶剤の蒸発に伴うインクの増粘や固着を防止するためにキャップで吐出口面を覆うためのものである。前記吸引機構は、吐出口をキャッピング（密閉）した状態で前記キャップに接続された吸引ポンプ等の負圧発生手段を作動させてキャップ内空間に負圧を作用させることにより吐出口からインクと共に固着インクや気泡などの異物を吸引除去するためのものである。前記ワイピング機構は、ゴム状弾性材で形成されたブレード等から成るワイパーを吐出口面に摺擦させることで該吐出口面上のインクやほこり等の異物（付着物）を払拭（拭き取り清掃）するためのものである。
【０００４】
図５は本発明を適用する前のインクジェット記録装置のワイピング機構の一例を示す模式的斜視図である。図５において、記録手段１１０は４本のラインタイプの記録ヘッド１１１（１１１ａ、１１１ｂ、１１１ｃ、１１１ｄ）で構成されており、記録手段１１０は不図示の昇降手段によって上下方向に移動可能に装着されている。その場合、記録動作時には最下位の位置にセットされ、各記録ヘッド１１１の吐出口面を払拭するワイピング動作時には図５中の二点鎖線で示す位置まで上昇させられる。図示の例では、前記吐出口面は下面に選定されており、この吐出口面には所定ピッチで配列された複数の吐出口から成る吐出口列が形成されている。
【０００５】
図５において、各記録ヘッド１１１の吐出口面を払拭するためのワイピング機構は、互いに平行に配置された２つの環状の長尺部材（タイミングベルトやワイヤーロープ等）１１５ａ、１１５ｂを使用し、各記録ヘッド１１１に対応するワイパー１１６（１１６ａ、１１６ｂ、１１６ｃ、１１６ｄ）が取り付けられた移動ブロック１１７の両側端部を長尺部材１１５ａ、１１５ｂに係止し、２つの長尺部材を同期駆動して移動ブロック１１７を平行移動させることにより各ワイパー１１６によって各記録ヘッド１１１の吐出口面を払拭（ワイピング）するように構成されている。
【０００６】
図５のワイピング機構においては、駆動シャフト（駆動プーリ軸）１１８の両端部に駆動プーリ１１９ａ、１１９ｂが固定されており、一方の駆動プーリ１１９ａと従動プーリ（アイドラプーリ）１２０ａとの間に環状のタイミングベルト（長尺部材）１１５ａが張架され、他方の駆動プーリ１１９ｂと他方の従動プーリ（アイドラプーリ）１２０ｂとの間にもう１本の環状のタイミングベルト（長尺部材）１１５ｂが張架されている。２本のタイミングベルト１１５ａ、１１５ｂは所定の間隔をおいて互いに平行に配置されている。そして、モータ１２１により、減速用ギア列１２２を介して、駆動プーリ１１９ａ、１１９ｂを回転駆動することで、平行に配置された２本のタイミングベルト１１５ａ、１１５ｂを走行駆動し、該２本のタイミングベルトで支持された移動ブロック１１７及び各ワイパー１１６を平行移動させるように構成されている。
【０００７】
図示の例では、複数（４個）の記録ヘッド１１１ａ〜１１１ｄのそれぞれの吐出口面をワイピングするための４個のワイパー１１６ａ〜１１６ｄがそれぞれのワイパーホルダ１２３ａ〜１２３ｄを介して１個の（共通の）移動ブロック１１７に取り付けられている。各ワイパー１１６は、弾性変形可能なゴム状弾性材の板状のブレードで構成されている。そこで、モータ１２１の回転及び回転方向を制御して移動ブロック１１７を両矢印Ｘ方向に平行移動させることにより、各ワイパー１１６によって対応する記録ヘッド１１１の吐出口面を払拭（拭き取り清掃）することができる。
【発明の開示】
【発明が解決しようとする課題】
【０００８】
しかしながら、図５に示すような既提案に係るインクジェット記録装置のワイピング機構においては、次のような技術的課題が残されている。すなわち、移動ブロック１１７に複数枚のワイパー１１６を装着する場合には、各ワイパー１１６のワイピング負荷が異なるために移動ブロック１１７に対して左右方向に不均等な力が作用し、移動ブロック１１７の両端部を案内支持する左右の案内レール（不図示）の摺動負荷が異なるために、移動ブロック１１７の動きが不安定になることがある。また、左右の案内レールのインクミストによる汚れ方が偏ったものになったり、ゴミ等による外部要因によって、２本のタイミングベルト１１５ａ、１１５ｂのうちの片側のタイミングベルトのベルト移動にひっかかりが生じ、高負荷になることもある。
【０００９】
また、２本のタイミングベルト１１５ａ、１１５ｄを駆動するための２個の駆動プーリ１１９ａ、１１９ｂが取り付けられた駆動シャフト（駆動プーリ軸）１１８が長いため、該駆動シャフト１１８の捩れなどにより移動ブロック１１７の左右に位相ずれが発生するという不都合が生じることもある。特に、片側のタイミングベルト１１５の停止及び反転切り換えを機械的に行う場合、時間と共に、２本のタイミングベルト１１５ａ、１１５ｂに位相ずれが発生する。以上のようなアンバランスのために移動ブロック１１７が傾き、上記案内レールとの間にひっかかりが生じ、移動不能になる可能性もある。
【００１０】
本発明はこのような技術的課題に鑑みてなされたものであり、本発明の目的は、ワイパーを搭載した移動ブロックを移動させるときの左右の位相ずれを無くしてワイパーの円滑な移動を確保することで、記録手段の吐出口面を安定した状態で払拭することができるワイピング機構、並びに該ワイピング機構を用いるインクジェット記録装置を提供することである。
【課題を解決するための手段】
【００１１】
本発明（請求項１）は、上記目的を達成するため、被記録材へインクを吐出して記録を行うための記録手段の吐出口面をワイパーで払拭するためのインクジェット記録装置のワイピング機構において、駆動プーリとアイドラプーリとを回ってエンドレスに張架された１本の長尺部材を屈曲させることにより所定間隔離れた平行パス部を形成し、ワイパーが装着された移動ブロックを前記平行パス部の同方向移動部分に連結し、前記駆動プーリを回転させて前記移動ブロックを平行移動させることにより前記ワイパーで記録手段の吐出口面を払拭することを特徴とする。
【００１２】
他の本発明（請求項６）は、上記目的を達成するため、被記録材へインクを吐出して記録を行うための記録手段と、該記録手段の吐出口面を払拭するためのワイピング機構とを備えたインクジェット記録装置において、前記ワイピング機構は、駆動プーリとアイドラプーリとを回ってエンドレスに張架された１本の長尺部材を屈曲させることにより所定間隔離れた平行パス部を形成し、ワイパーが装着された移動ブロックを前記平行パス部の同方向移動部分に連結し、前記駆動プーリを回転させて前記移動ブロックを平行移動させることにより前記ワイパーで記録手段の吐出口面を払拭することを特徴とする。
【発明の効果】
【００１３】
本発明によれば、駆動プーリとアイドラプーリとを回ってエンドレスに張架された１本の長尺部材を屈曲させることにより所定間隔離れた平行パス部を形成し、ワイパーが装着された移動ブロックを前記平行パス部の同方向移動部分に連結し、前記駆動プーリを回転させて前記移動ブロックを平行移動させることにより前記ワイパーで記録手段の吐出口面を払拭する構成にするので、ワイパーを搭載した移動ブロックを移動させるときの左右の位相ずれを無くしてワイパーの円滑な移動を確保することで、記録手段の吐出口面を安定した状態で払拭することができるワイピング機構、並びに該ワイピング機構を用いるインクジェット記録装置が提供される。
【発明を実施するための最良の形態】
【００１４】
以下、図面を参照して本発明の実施の形態を具体的に説明する。なお、各図面を通して同一符号は同一又は対応部分を示す。図１は本発明を適用するのに好適なインクジェット記録装置の各動作時の状態を示す模式的側面図であり、（ａ）は記録時の状態を示し、（ｂ）は記録時の状態から記録手段を上昇させた時の状態を示し、（ｃ）は（ｂ）の状態からキャッピング機構を水平方向に移動させた時の状態を示し、（ｄ）は（ｃ）の状態から記録手段を下降させて該記録手段をキャッピング機構によりキャッピングした時の状態を示す。本発明を適用するのに好適なインクジェット記録装置は、記録手段（その吐出口）から記録紙等の被記録材へインクを吐出して記録を行うものである。
【００１５】
図１において、記録手段１０は、ヘッドホルダ１２に取り付けられた４本のラインタイプのインクジェット記録ヘッド１１（１１ａ、１１ｂ、１１ｃ、１１ｄ）で構成されている。各記録ヘッド１１は、被記録材Ｐの搬送方向Ａの所定間隔ごとの位置に長手方向が該搬送方向Ａと交差する姿勢で取り付けられている。記録手段１０の各記録ヘッド１１ａ〜１１ｄの下側面には、複数の吐出口から成る吐出口列が形成された吐出口面１３ａ〜１３ｄが設けられている。各記録ヘッド１１の吐出口１３と対向（対面）する位置には記録紙Ｐを搬送（紙送り）するための搬送機構が設けられている。図示の搬送機構は、搬送駆動ローラ２５と搬送従動ローラ２６との間に張架されたエンドレスベルトから成る搬送ベルト２４を備え、不図示のモータで搬送駆動ローラ２５を回転駆動することで供給された記録紙Ｐを矢印Ａ方向に搬送するように構成されている。
【００１６】
前記搬送機構の図１中の右側には、給紙トレイ２７上に積載された記録紙Ｐを給紙ローラ２８によって１枚ずつ搬送ベルト２４上に供給するための給紙機構が配設されている。２９は給紙トレイ２７上の記録紙Ｐを給紙ローラ２８に当接させるための押圧ばねを示す。また、前記搬送機構の図１中の左側には、記録済みの記録紙など搬送ベルト２４から排出される被記録材Ｐを保持するための排紙トレイ３０が配設されている。図１に示すインクジェット記録装置では、ヘッド昇降機構３１によってヘッドホルダ１２の上下位置を調整することにより各記録ヘッド１１の高さ位置を制御できるように構成されている。また、各記録ヘッド１１ａ〜１１ｄの近傍には、それぞれの記録ヘッドの吐出口面１３ａ〜１３ｄに当接することでそれぞれの吐出口を密閉するためのキャップ３２ａ〜３２ｄから成るキャッピング機構が配設されている。
【００１７】
図１において、（ａ）に示す記録動作時には、各記録ヘッド１１は下降位置にあり、搬送ベルト２４上を搬送（紙送り）される記録紙Ｐに向けてインクを吐出することにより画像記録が実行される。記録動作を終えると、先ず（ｂ）に示すようにヘッド昇降機構３１の作動により記録手段１０を上昇させる。次いで、（ｃ）に示すように不図示のモータによって各キャップ３２を図示右方向へ所定距離だけ水平移動させることにより、各記録ヘッド１１の真下に対応する各キャップ３２が位置する状態にする。次いで、ヘッド昇降機構３１の作動によって記録手段１０を下降させることにより、各記録ヘッド１１の吐出口面１３をキャップ３２に当接させることにより、キャッピング状態にする。記録装置保管時や記録待機時などの非記録時には、キャッピング状態にして吐出口からインク蒸発を抑制するとともに吐出口面の保護を図ることができる。記録を再開する場合は、以上とは逆の操作を行うことで（ａ）の状態にし、記録動作を開始する。
【００１８】
図２は本発明を適用するのに好適なインクジェット記録装置における記録手段（記録ヘッド）昇降機構の一例を一部分解して示す模式的斜視図である。次に、図２を参照して、記録ヘッド１１ａ〜１１ｄの上下位置を制御するためのヘッド昇降機構３１の具体的構成例について説明する。図２において、ベース部材３５の両側には側壁部３５ａ、３５ｂが形成されており、両側の側壁部３５ａ、３５ｂのそれぞれには、第１の軸心３６を中心に回動自在な第１のクランク部材３７と第２の軸心３８を中心に回動自在な第２のクランク部材３９が軸支されている。また、両側の側壁部３５ａ、３５ｂには、昇降モータ４２によりピニオン・ギア伝動機構を通して回転駆動される駆動軸４３が軸支されている。左右両側の第１のクランク部材３７の周囲にはギア部（歯形）４１が形成されており、左右のギア部４１は駆動軸４３の両端部に形成されたギア部（歯形）４４が噛み合っている。従って、前記昇降モータ４２によって、先ず左右の第１のクランク部材３７が同期して回転駆動される。
【００１９】
左右の第２のクランク部材３９は、伝動軸４５によって同期回転するように連結されている。左右両側において、第１のクランク部材３７と第２のクランク部材３９とは、それぞれの偏心位置に設けられた第１のピン（クランクピン）４６と第２のピン（クランクピン）４７とを連結する連接棒４８を介して同期回転するように構成されている。また、左右両側の第１のクランク部材３７及び第２のクランク部材３９のそれぞれには、同じ角度位置で半径方向に延びる長孔から成る係合溝４９が形成されている。さらに、ベース部材３５の両側の側壁部３５ａ、３５ｂの第１及び第２のクランク部材３７、３９の各係合溝４９に対応する位置には、上下方向に延びるとともに上部から前後方向に延びるように形成されたガイド溝５０が設けられている。そして、ヘッドホルダ１２の左右両側それぞれの搬送方向所定間隔の位置（合計４箇所）に設けられた係合ピン５１が、前記ガイド溝５０及び前記係合溝４９の双方に摺動自在に係合されている。こうして、昇降モータ４２の作動によって、ベース部材３５に対する各記録ヘッド１１ａ〜１１ｄの上下方向及び前後方向の位置を所定範囲にわたって制御することができるヘッド昇降機構が構成されている。
【実施例１】
【００２０】
図３は本発明を適用したインクジェット記録装置のワイピング機構の実施例１の模式的斜視図である。すなわち、本発明によるワイピング機構は、記録手段１０の吐出口面１３を払拭（拭き取り清掃）するためのものである。図３において、４本のラインタイプのインクジェット記録ヘッド１１ａ、１１ｂ、１１ｃ、１１ｄから成る記録手段１０は、記録手昇降機構（図２参照）により、実線で示す上昇位置と二点鎖線で示すワイピング位置と不図示の記録位置（通常ではワイピング位置より下降した位置）とを取るように位置制御される。記録手段１０の下側には、本実施例に係るワイピング機構６０が配設されている。このワイピング機構６０は、記録紙等の被記録材（不図示）Ｐへインクを吐出して記録を行うための各記録ヘッド１１ａ〜１１ｄの吐出口面１３ａ〜１３ｄをワイパー６１ａ〜６１ｄによって払拭（拭き取り清掃）するものである。各ワイパー６１ａ〜６１ｄによる各吐出口面１３ａ〜１３ｄの払拭動作は、各記録ヘッド１１ａ〜１１ｄが上記ワイピング高さに位置しているときに行われる。
【００２１】
そこで、本発明を適用したインクジェット記録装置のワイピング機構６０においては、駆動プーリ６５とアイドラプーリ６６と２個の中間プーリ６７ａ、６７ｂとを回ってエンドレスに張架された１本の長尺部材としてのワイヤ（ワイヤロープ、ステンレスワイヤ等）６８を屈曲させることにより所定間隔離れた平行パス部６９ａ、６９ｂが形成され、４本の記録ヘッド１１ａ〜１１ｄに対応する４個のワイパー６１ａ〜６１ｄが装着された（取り付けられた）移動ブロック７０の両端部が前記平行パス部６９ａ、６９ｂの同方向移動部分に連結されている。図示の例では、各ワイパーワイパー６１ａ〜６１ｄはワイパーホルダ７１ａ〜７１ｄを介して上記移動ブロック７０に取り付けられている。上記ワイパー６１としては、例えば板状のゴム状弾性材から成るブレードが使用される。
【００２２】
前記駆動プーリ６５にはギア部７２が形成されており、このギア部７２にはワイパー駆動モータ７３のモータ軸に固定されたピニオン７４が噛み合っている。従って、上記モータ７３で上記駆動プーリ６５を矢印方向に回転駆動すると、上記ワイヤ（長尺部材）６８の各直線部分は矢印で示す方向に移動することになる。そして、上記平行パス部６９ａ、６９ｂが同時に同方向に移動することで、該平行パス部に連結された上記移動ブロック７０は両矢印Ｗ方向に平行移動することになる。この移動ブロック７０の平行移動に伴って上記各ワイパー６１ａ〜６１ｄが矢印Ｗ方向（ワイピング方向）平行移動することで、各ワイパーの先端部により各記録ヘッド１１ａ〜１１ｄの吐出口面１３ａ〜１３ｄを払拭することができる。この場合、ワイパーモータ７３により駆動プーリ６５を回転させる場合のワイヤ６８の移動速度は全長にわたっていずれの部位でも同一速度であり、移動ブロック７０の両端部が結合される左右の平行パス部６９ａ、６９ｂは同方向に同一速度で移動する部位である。
【００２３】
なお、図示の例では、前記移動ブロック７０の両端部は、長尺部材としてのワイヤ６８の平行パス部６９ａ、６９ｂに沿って配置された案内レール７５ａ、７５ｂにより、安定した状態で平行移動できるように案内支持されている。そして、前述のように左右の平行パス部６９ａ、６９ｂは同方向に同一速度で移動するので、上記案内レール７５ａ、７５ｂを走行する移動ブロック７０の両端部は位相がずれることなくスムーズに往復移動することができる。また、前記移動ブロック７０の両端部は、ワイヤ６８の平行パス部６９ａ、６９ｂのそれぞれに対して、直接的ではなく、引っ張りコイルばね７６（一方のみ図示）を介して連結されている。この引っ張りコイルばね７６は、ワイヤ６８の長さを調整するとともにに、該ワイヤ（ワイヤロープ）６８に所定の張力（ロープテンション）を付与するためのものである。
【００２４】
また、ワイヤ６８は上記駆動プーリ６５に対して約（ｎ＋０．５）ターン（例えば２．５ターン）巻き付けられており、移動ブロック７０が停止した時のオーバーランを駆動プーリ６５とワイヤロープ６８との間の滑りによって吸収する構造となっている。すなわち、前記ワイヤロープ６８に所定値以上の張力が作用するときに該ワイヤロープ６８を駆動プーリ６５に対して滑らせるトルクリミッタが設けられている。前記記録手段１０を構成する各記録ヘッド１１は前述のようにラインヘッドであり、前記移動ブロック７０は各ラインヘッド１１の長さ方向（被記録材搬送方向と交差する方向）に移動するように構成されている。また、本実施例では、記録手段１０は、異なるインク（例えば、ブラック、イエロー、マゼンタ、シアンの各色のインク）を使用する複数本（４本）のラインヘッド１１で構成されており、これら各色のラインヘッド１１のそれぞれに対応する複数（４個）のワイパー６１が前記移動ブロック７０に装着されている。
【００２５】
以上説明した実施例によれば、１本の長尺部材としてのワイヤ６８を屈曲させることにより所定間隔離れた平行パス部６９ａ、６９ｂを形成し、ワイパー６１が装着された移動ブロック７０を平行パス部６９ａ、６９ｂの同方向移動部分に連結し、駆動プーリ６５を回転させて移動ブロック７０を平行移動させることによりワイパー６１で記録手段１０の吐出口面１３を払拭するように構成するので、ワイパーが装着された移動ブロック７０の左右の位相ズレを無くすことができ、複数のワイパー６１を使用する場合に各ワイパーの負荷が異なったり、移動ブロック７０の左右の摺動負荷が異なる場合でも、移動ブロック７０をガタツクことなくスムーズに平行移動させることができ、記録ヘッド１１を安定した状態で適切に払拭（ワイピング）することができる。また、従来技術では長尺部材を２本使用していたが、本実施例では１本で済ませることができ、その分コストダウンを図ることができる。
【実施例２】
【００２６】
図４は本発明を適用したインクジェット記録装置のワイピング機構の実施例２の模式的斜視図である。本実施例では、長尺部材として、前述の実施例１のワイヤ６８の代わりにタイミングベルト８８が使用されている。また、本実施例では、前述の実施例１における引っ張りコイルばね７６が省略され、移動ブロック７０はタイミングベルト（長尺部材）８８の左右の平行パス部８９ａ、８９ｂの同方向移動部分に対して直接的に連結されている。また、長尺部材としてタイミングベルト８８が使用されるので、駆動プーリとして歯付きのタイミングプーリ８５が使用されている。さらに、移動ブロック７０がタイミングベルト８８に直接的に連結されているため、実施例１のように駆動プーリ６５とワイヤロープ６８との間の滑りによって移動ブロック７０停止時のオーバーランを吸収するトルクリミッタを設ける必要がなく、そのため実施例２ではこの種のトルクリミッタは省略されている。
【００２７】
図４の実施例２は、以上説明した点で図３の実施例１と相違しているが、その他の点では実施例１と実質的に同じ構成を有しており、それぞれ対応する部分を同一符号で示し、それらの詳細説明は省略する。図４の実施例２によれば、前述の実施例１の場合と同様の作用効果が得られる他に、移動ブロック７０にワイパー駆動力を伝達する長尺部材としてタイミングベルト８８を使用し、駆動プーリとして歯付きのタイミングプーリ８５を使用するので、ワイピングのためのワイパー６１の駆動を一層確実なものにすることができる。
【００２８】
また、以上の実施例では、ラインタイプのインクジェット記録ヘッド１１を用いて副走査のみで記録する場合を例に挙げて説明したが、本発明は、記録ヘッドを被記録材に対して相対移動させながら記録するシリアル記録方式のインクジェット記録装置の場合にも同様に適用することができ、同様の効果を達成できるものである。また、本発明は、１個の記録ヘッドを用いる記録装置、異なる色のインクで記録する複数の記録ヘッドを用いるカラー記録装置、あるいは同一色彩で異なる濃度で記録する複数の記録ヘッドを用いる階調記録装置、さらには、これらを組み合わせた記録装置など、記録ヘッドの種類や数がいかなる場合にも、同様に適用することができ、同様の効果を達成し得るものである。
【００２９】
さらに、本発明は、記録ヘッドとインクタンクを一体化した交換可能なインクカートリッジを用いる構成、記録ヘッドとインクタンクを別体にし、その間をインク供給用チューブ等で接続する構成など、記録ヘッドとインクタンクの配置構成がどのような場合にも同様に適用することができ、同様の効果が得られるものである。なお、本発明は、インクジェット記録装置が、例えば、ピエゾ素子等の電気機械変換体等を用いる記録手段を使用するものである場合にも適用できるが、中でも、熱エネルギーを利用してインクを吐出する方式の記録手段を使用するインクジェット記録装置において優れた効果をもたらすものである。かかる方式によれば、記録の高密度化、高精細化が達成できるからである。
【図面の簡単な説明】
【００３０】
【図１】本発明を適用するのに好適なインクジェット記録装置を示す模式的側面図であり、（ａ）は記録時の状態を示し、（ｂ）は記録手段を上昇させた時の状態を示し、（ｃ）は（ｂ）の状態からキャッピング機構を水平方向に移動させた時の状態を示し、（ｄ）は（ｃ）の状態から記録手段を下降させてキャッピング機構によりキャッピングした時の状態を示す。
【図２】本発明を適用するのに好適なインクジェット記録装置における記録手段昇降機構の一例を一部分解して示す模式的斜視図である。
【図３】本発明を適用したインクジェット記録装置のワイピング機構の実施例１の模式的斜視図である。
【図４】本発明を適用したインクジェット記録装置のワイピング機構の実施例２の模式的斜視図である。
【図５】本発明を適用する前のインクジェット記録装置のワイピング機構を例示する模式的斜視図である。
【符号の説明】
【００３１】
１０        記録手段
１１（１１ａ〜１１ｄ）        記録ヘッド
１２        ヘッドホルダ
１３（１３ａ〜１３ｄ）        吐出口面
２４        搬送ベルト
２５        搬送駆動ローラ
２６        搬送従動ローラ
２７        給紙トレイ
２８        給紙ローラ
２９        押圧ばね
３０        排紙トレイ
３１        記録手段昇降機構（ヘッド昇降機構）
３２（３２ａ〜３２ｄ）        キャップ
３５        ベース部材
３５ａ、３５ｂ        側壁部
３６        第１の軸心
３７        第１のクランク部材
３８        第２の軸心
３９        第２のクランク部材
４１        ギア部（歯形）４１
４２        昇降モータ
４３        駆動軸
４４        ギア部（歯形）
４５        伝動軸
４６        クランクピン
４７        クランクピン
４８        連接棒
４９        係合溝
５０        ガイド溝
５１        係合ピン
６０        ワイピング機構
６１（６１ａ〜６１ｄ）        ワイパー
６５        駆動プーリ
６６        アイドラプーリ
６７ａ、６７ｂ        中間プーリ
６８        長尺部材（ワイヤ）
６９ａ、６９ｂ        長尺部材の平行パス部
７０        移動ブロック
７１（７１ａ〜７１ｄ）        ワイパーホルダ
７２        ギア部
７３        ワイパーモータ
７４        ピニオン
７５ａ、７５ｂ        案内レール
８５        駆動プーリ
８８        長尺部材（タイミングベルト）
８９Ａ、８９ｂ        平行パス部
Ａ          被記録材搬送方向
Ｗ          ワイピング方向
【図１】
2005161796.tif 000003
【図２】
2005161796.tif 000004
【図３】
2005161796.tif 000005
【図４】
2005161796.tif 000006
【図５】
2005161796.tif 000007